(57)【特許請求の範囲】
【請求項１】
内周側に開口部（３５）が形成された複数のスロット（３０）を有する固定子鉄心（３２）と、前記スロット（３０）内に収容される収容部（３３ａ）を有する固定子巻線を形成する電気導体（３３）とを備えた車両用交流発電機の固定子において、
前記固定子巻線の収容部（３３ａ）と前記スロット（３０）の内壁面との間には、電気絶縁部材（３４）が介在され、
前記電気絶縁部材（３４）はシート状であり、該シート状の電気絶縁部材（３４）は前記スロット（３０）の内壁面に沿った筒状に形成され、前記開口部（３５）を閉塞する閉塞部（３４ｂ）を有しており、
前記シート状の電気絶縁部材（３４）の端部は重なり合ってラップ部（３４ａ）を形成し、前記電気導体（３３）と前記スロット（３０）の内壁面との間で前記ラップ部（３４ａ）が挟み込んで固定されており、
前記ラップ部（３４ａ）は前記スロット（３０）の外径方向の内壁面と対向して位置していることを特徴とする車両用交流発電機の固定子。
【請求項２】
前記固定子巻線は複数の電気導体（３３）を接合して形成されることを特徴とする請求項１に記載の車両用交流発電機の固定子。
【請求項３】
前記電気導体（３３）の少なくとも前記収容部（３３ａ）の断面形状が前記スロット（３０）の形状に沿った略矩形状であることを特徴とする請求項２に記載の車両用交流発電機の固定子。
【請求項４】
前記電気導体（３３）は、Ｕ字状のセグメントであることを特徴とする請求項２または３に記載の車両用交流発電機の固定子。
【請求項５】
前記電気導体（３３）は連続線であり、その連続線を所定回数だけ巻回して前記固定子巻線が形成され、その巻回した前記固定子巻線の前記スロット（３０）内に収容される部分が前記シート状の電気絶縁部材（３４）で包まれていることを特徴とする請求項１に記載の車両用交流発電機の固定子。
【請求項６】
請求項２ないし請求項４のいずれか１つに記載の車両用交流発電機の固定子の製造方法において、
前記スロット（３０）内に収容される前記電気導体（３３）の複数の収容部（３３ａ）の束を前記電気絶縁部材（３４）により包囲した後、
前記電気導体（３３）と前記電気絶縁部材（３４）とを前記固定子鉄心（３２）の前記スロット（３０）内に挿入し、
前記固定子鉄心（３２）の前記スロット（３０）から出ている前記電気導体（３３）の端部を他の前記電気導体（３３）の端部と接合して固定子巻線を形成することを特徴とする車両用交流発電機の固定子の製造方法。
【請求項７】
請求項２ないし請求項４のいずれか１つに記載の車両用交流発電機の固定子の製造方法において、
前記電気絶縁部材（３４）を前記スロット（３０）に挿入し、前記電気絶縁部材（３４）を前記スロット（３０）の内壁面全体に渡って対向させて配置するとともに、前記開口部（３５）を前記電気絶縁部材（３４）により閉塞した後、
前記電気導体（３３）を前記固定子鉄心（３２）の軸方向一端から前記電気絶縁部材（３４）内側に挿入し、
前記固定子鉄心（３２）の前記スロット（３０）から出ている前記電気導体（３３）の端部を他の前記電気導体（３３）の端部と接合して固定子巻線を形成することを特徴とする車両用交流発電機の固定子の製造方法。
【発明の詳細な説明】
【０００１】
【発明の属する技術分野】
本発明は乗用車、トラック等に搭載される車両用交流発電機の固定子及びその製造方法に関する。
【０００２】
【従来の技術】
車両用交流発電機の固定子における固定子鉄心と固定子巻線との間の絶縁構造については、特開平８−８０００１号公報に記載されているものが知られている。特開平８−８０００１号公報に記載のものでは、固定子鉄心のスロットの内壁面と固定子巻線との間には、絶縁のために電気絶縁フィルムが介在されている。また、スロットの内周側の開口部付近には、固定子巻線が内側に飛び出すのを防止するための絶縁性の押圧部材が装備されている。
【０００３】
【発明が解決しようとする課題】
従来構造の交流発電機の固定子は、電気絶縁フィルムと押圧部材とが別部材で構成されているため、電気絶縁フィルムと押圧部材との間に微小隙間が生じる。従って、固定子の内周側に配置される回転子が回転して、固定子内周側開口部付近の圧力が上昇すると、車両用交流発電機内部に冷却風とともに取り込まれた融雪塩等による塩水が電気絶縁フィルムと押圧部材との間の微小隙間を通って固定子巻線部分に浸入する。さらに、塩水が浸入するとその電解作用により、固定子巻線の絶縁被膜が破壊され絶縁不良を生じる。
【０００４】
一方、近年の車両用交流発電機の高出力化要求に伴い、車両用交流発電機の固定子はスロット内の固定子巻線の占積率を高くして固定子巻線の低抵抗化を図る傾向にあるが、押圧部材を用いるとスロット内の固定子巻線挿入スペースが減少するため、高占積率化を図ることが困難であった。また、押圧部材のスロットへの挿入時における固定子巻線の絶縁被膜の破損や、押圧部材の組付け不良等の問題も生じていた。
【０００５】
本発明は上記問題に鑑みなされたものであり、固定子巻線と固定子鉄心との間の絶縁が確実な車両用交流発電機の固定子及びその製造方法を提供することを目的とする。
【０００６】
【課題を解決するための手段】
上記目的を達成するため、本発明の請求項１に記載の発明では、電気導体（３３）の収容部（３３ａ）とスロット（３０）の内壁面との間には、電気絶縁部材（３４）が介在され、電気絶縁部材（３４）は開口部（３５）を閉塞する閉塞部（３４ｂ）を有するという技術的手段を採用する。
【０００７】
スロット（３０）の内周側の開口部（３５）が電気絶縁部材（３４）の閉塞部（３４ｂ）で塞がれているため、スロット（３０）の開口部（３５）からの電気導体（３３）の飛び出しを防止できる。また、開口部（３５）から塩水等の電解液が浸入するのを防ぐことができ、電気導体（３３）の被膜が電解作用により破損して絶縁不良を起こすことを防止できる。また、別体の押圧部材をスロット内に挿入する必要がないため、押圧部材挿入時の電気導体の絶縁被膜の破損や、押圧部材の組付け不良等の問題も回避できる。
【０００８】
また、請求項１に記載の発明では、電気絶縁部材（３４）はシート状であり、該シート状の電気絶縁部材（３４）はスロット（３０）の内壁面に沿った筒状に形成され、シート状の電気絶縁部材（３４）の端部は重なり合ってラップ部（３４ａ）を形成し、電気導体（３３）とスロット（３０）の内壁面との間でラップ部（３４ａ）が挟み込んで固定されており、ラップ部（３４ａ）はスロット（３０）の外径方向の内壁面と対向して位置しているという技術的手段を採用する。
【０００９】
シート状の電気絶縁部材（３４）のラップ部（３４ａ）が、スロット（３０）の内壁面に対向して位置し、電気導体（３３）とスロット（３０）の内壁面との間でラップ部（３４ａ）が挟み込んで固定されているので、車両用交流発電機の高振動下においても、確実に電気絶縁を図ることができる。さらに、ラップ部（３４ａ）がスロット（３０）の外径方向の内壁面と対向して位置しているので、塩水等がラップ部（３４ａ）の重なり面の隙間を通って電気導体（３３）に達するのを更に抑制できるため、電気導体（３３）と固定子鉄心（３２）との間の電気絶縁の信頼性を高めることが可能となる。
【００１１】
請求項２に記載の発明では、固定子巻線は複数の電気導体（３３）を接合して形成されるという技術的手段を採用する。これにより、電気導体（３３）をスロット（３０）内に規則的に並べることができるため、スロット（３０）内における電気導体（３３）の占積率を高くして高出力化が図れる。また、電気導体（３３）をスロット（３０）の軸方向から挿入することができるため、電気導体（３３）のスロット（３０）内への組付けが容易になる。
【００１２】
請求項３に記載の発明では、電気導体（３３）の少なくとも収容部（３３ａ）の断面形状がスロット（３０）の形状に沿った略矩形状であるという技術的手段を採用する。電気導体（３３）の収容部（３３ａ）の断面形状がスロット（３０）の形状に沿った略矩形状のものを用いることにより、電気導体（３３）のスロット（３０）内での占積率をより高めることができる。また、電気絶縁部材（３４）と電気導体（３３）との接触面が大きくなり、電気導体（３３）が安定的にスロット（３０）内に収容されるとともに、固定子鉄心（３２）への熱伝導を円滑に行うことができる。従って、発電時の電気導体（３３）の温度上昇を抑制でき、電気導体（３３）の低抵抗化が可能となるため更なる高出力化が図れ、電気導体（３３）の耐振動性も向上する。また、請求項４に記載の発明では、請求項２または３に記載の車両用交流発電機の固定子において、電気導体（３３）は、Ｕ字状のセグメントであることを特徴とする。また、請求項５に記載の発明では、請求項１に記載の車両用交流発電機の固定子において、電気導体（３３）は連続線であり、その連続線を所定回数だけ巻回して固定子巻線が形成され、その巻回した固定子巻線のスロット（３０）内に収容される部分がシート状の電気絶縁部材（３４）で包まれていることを特徴とする。
【００１３】
請求項６に記載の発明では、複数の収容部（３３ａ）の束を電気絶縁部材（３４）により包囲した後、電気導体（３３）と電気絶縁部材（３４）とを固定子鉄心（３２）のスロット（３０）内に挿入し、固定子鉄心（３２）のスロット（３０）から出ている電気導体（３３）の端部を他の電気導体（３３）の端部と接合して固定子巻線を形成するという技術的手段を採用する。
【００１４】
また、請求項７に記載の発明では、電気絶縁部材（３４）をスロット（３０）に挿入し、電気絶縁部材（３４）をスロット（３０）の内壁面全体に渡って対向させて配置するとともに、開口部（３５）を電気絶縁部材（３４）により閉塞した後、電気導体（３３）を固定子鉄心（３２）の軸方向一端から電気絶縁部材（３４）内側に挿入し、固定子鉄心（３２）のスロット（３０）から出ている電気導体（３３）の端部を他の電気導体（３３）の端部と接合して固定子巻線を形成するという技術的手段を採用する。
【００１５】
このような工程で車両用交流発電機の固定子を容易に製造することができる。
なお、上記した括弧内の符号は、後述する実施形態記載の具体的手段との対応関係を示すものである。
【００１６】
【発明の実施の形態】
以下、この発明の車両用交流発電機を図１から図５に示す実施形態に基づいて説明する。
（第一実施形態）
図１は本発明を適用した固定子が取り付けられる車両用交流発電機の主要部の部分断面図である。車両用交流発電機１は、電機子として働く固定子２と、界磁として働く回転子３と、回転子３を支持するとともに固定子２を挟持して締結ボルト４ｃによって固定しているフロントハウジング４ａ及びリアハウジング４ｂと、交流電力を直流電力に変換する整流器５とを備えて構成されている。
【００１７】
回転子３は、シャフト６と一体になって回転するもので、ランデル型ポ−ルコア７、界磁コイル８、スリップリング９、１０、送風装置としての斜流ファン１１および遠心ファン１２を備えている。シャフト６は、プーリ２０に連結され、自動車に搭載された走行用のエンジン（図示せず）により回転駆動される。
ランデル型ポールコア７は一組のポールコアを組合わせて構成されている。ランデル型ポールコア７は、シャフト６に組付られたボス部７１とボス部７１の両端より径方向に延びるディスク部７２と１２個の爪状磁極部７３とにより構成されている。
【００１８】
フロントハウジング４ａおよびリアハウジング４ｂの軸方向端面には吸入孔４１が設けられている。 そして、フロントハウジング４ａおよびリアハウジング４ｂの外周には、固定子２のコイルエンド群３１ａ、３１ｂの径方向外側に対応して冷却風の排出孔４２が設けられている。
図２は固定子２の部分的な断面図、図３は固定子鉄心に装着されるセグメント３３の模式的形状を示す斜視図、そして図４はセグメント３３及び電気絶縁部材３４のスロット３０への組付け方法を示す斜視図である。
【００１９】
図２に示すように、固定子鉄心３２には、多相の固定子巻線を収容できるように、複数のスロット３０が形成されている。本実施形態では、回転子３の磁極数に対応して、３相の固定子巻線を収容するように、３６本のスロット３０が等間隔に配置されている。
固定子鉄心３２のスロット３０に装備された固定子巻線は、１本１本の電気導体として把握することができ、複数のスロット３０のそれぞれの中には、複数本の電気導体が収容されている。これら電気導体が所定のパターンで接続されることにより、固定子巻線が形成される。なお、本実施形態では、スロット３０内の電気導体は、一方のコイルエンド群側においては、一端を連続線を配置することにより、また、他方のコイルエンド群側においては、他端を接合することにより接続される。
【００２０】
図３に示すように、電気導体としてのセグメント３３は円形断面を持つ略Ｕ字状の銅線である。このセグメント３３は、固定子鉄心３２に設けられているスロット３０への収容部３３ａおよび収容部３３ａをつなぐ渡り部３３ｂ、３３ｃで構成されている。
固定子２は、円環状の固定子鉄心３２と、複数のセグメント３３と、複数のシート状の電気絶縁部材３４とで構成されている。電気絶縁部材３４としては、例えば、不織布シートを利用することができる。また、固定子鉄心３２は、薄い珪素鋼板を重ね合わせたもので、図２に示すように、磁路を形成する継鉄部３２ａと内周側へ突出し磁極を形成する複数個の歯部３２ｂとによって平行な内壁を有する多数のスロット３０が形成されている。
【００２１】
次に、セグメント３３及び電気絶縁部材３４のスロット３０への組付け方法について説明する。図４に示すように、シート状の電気絶縁部材３４の端部を互いに重ね合わせて筒状にする。この際、電気絶縁部材３４の重なりあった端部によりラップ部３４ａが形成される。そして、このラップ部３４ａをスロット３０の外径方向の内壁面と対向するように、筒状に形成された電気絶縁部材３４をスロット３０の軸方向一端から挿入する。
【００２２】
電気絶縁部材３４がスロット３０に挿入された後、セグメント３３がスロット３０の軸方向一端から挿入される。この際、Ｕ字状のセグメント３３の２つの収容部３３ａはそれぞれ所定磁極ピッチ離れたスロット３０内にそれぞれ収められる。
なお、スロット３０の開口部３５は、電気絶縁部材３４の閉塞部３４ｂにより閉塞されている。また、電気絶縁部材３４のスロット３０の内壁面全体に渡って対向する絶縁部３４ｃでセグメント３３とスロット３０内壁面との間の電気絶縁を行っている。
【００２３】
セグメント３３がスロット３０に挿入された後、所定磁極ピッチだけ離れた他のセグメント３３と電気導通させるために、その渡り部３３ｃを図２の破線に示すように周方向に対して互いに反対の方向に折り曲げる。そして異なるセグメント３３の渡り部３３ｃの端部同士を接合し、全体で三相交流巻線を構成する。
（第１実施形態の作用効果）
本実施形態では、シート状の電気絶縁部材３４は筒状に形成され、そのラップ部３４ａがスロット３０の外径方向の内壁面に対向して位置し、スロット内周側の開口部３５は電気絶縁部材３４の閉塞部３４ｂで塞がれている。これにより、セグメント３３とスロット３０の内壁面との間でラップ部３４ａを挟み込んで固定できるため、車両用交流発電機の高振動下でも確実に電気絶縁を図れる。
【００２４】
また、開口部３５が電気絶縁部材３４の閉塞部３４ｂで塞がれているため、セグメント３３が固定子鉄心３２の内側へ飛び出すのを防止することができるとともに、塩水等の電気導体部分への浸入を抑制することができる。これにより、セグメント３３の絶縁被膜が塩水等の電解液による電解作用により破損されるのを防止でき、電気絶縁の信頼性を高めることができる。また、別体の押圧部材をスロット３０に挿入する必要がないため、押圧部材のスロット３０への挿入時におけるセグメント３３の絶縁被膜の破損や、押圧部材の組付け不良等の問題を回避できる。また、スロット３０内のセグメント３３の占積率を高めることも可能となる。
【００２５】
さらに本実施形態では、セグメント３３および電気絶縁部材３４のスロット３０への挿入を、スロット３０の軸方向一端から行うことができる。そのため、セグメント３３および電気絶縁部材３４のスロット３０への挿入が容易となる。また、筒状の電気絶縁部材３４でスロット３０内の内壁面を覆ってからセグメント３３を筒状の電気絶縁部材３４の中に挿入するため、セグメント３３がスロット３０の内壁面とこすれることが防止できる。このため、セグメント３３に被覆された絶縁被膜の損傷を防止することができる。また、セグメント３３をスロット３０の軸方向から挿入することにより、セグメント３３をスロット３０内に規則的に配置することが可能となるため、スロット３０内の電気導体占積率を高めることが容易となる。これにより、固定子巻線の低抵抗化が図れ、車両用交流発電機の高出力化が可能となる。
（第二実施形態）
第一実施形態では、セグメント３３は円形断面のものを用い、電気絶縁部材３４はシート状のものを用いた。しかし、固定子巻線と固定子鉄心３２との間の確実な電気絶縁性の要求および固定子巻線の高出力化の要求は以下のようにしても実現することができる。
【００２６】
図５は第二実施形態における固定子２の部分的な断面図である。セグメント３３は第一実施形態と同様に略Ｕ字状の銅線を用いるが、第二実施形態では断面が矩形状のものを用いる。また、電気絶縁部材３４は、絶縁性樹脂をチューブ状に成形し、スロット３０の軸方向の長さに対応した長さに切断したものを用いる。
電気絶縁部材３４及びセグメント３３のスロット３０への挿入は、第一実施形態と同様にして行う。すなわち、チューブ状の電気絶縁部材３４をスロット３０の軸方向一端から挿入する。その後、断面矩形状のセグメント３３がスロット３０の軸方向一端から挿入され、収容部３３ａがスロット３０内に収められる。そして、第一実施形態と同様にして、複数のセグメント３３の渡り部３３ｃの端部同士を互いに接合して、全体で三相交流巻線を構成する。
【００２７】
図５に示すように、チューブ状の電気絶縁部材３４の大きさはスロット３０の大きさに対応して設定される。また、矩形状断面のセグメント３３の太さも、電気絶縁部材３４とともにスロット３０内に設置された状態で、スロット３０、セグメント３３及び電気絶縁部材３４の間の隙間が大きくできないように設定されている。このようにスロット３０、電気絶縁部材３４およびセグメント３３の形状および大きさが設定されることにより、スロット３０内におけるセグメント３３の占積率を高くすることができるとともに、スロット３０内でのセグメント３３の振動が抑制される。
【００２８】
特にセグメント３３の収容部３３ａがスロット３０の内壁に沿った矩形断面を持っているので、収容部３３ａはスロット３０の内壁と広い面積で対向し、安定的に収納される。そのため、セグメント３３で発生する熱の固定子鉄心３２への熱伝導性が向上する。従って、発電時のセグメント３３の温度を低くすることができる。しかも、電気絶縁部材３４を介した摩擦力により固定されるため、耐振動性も向上する。
【００２９】
また、第二実施形態においては、電気絶縁部材３４はチューブ状のものを用いているため、第一実施形態においてラップ部３４ａに生じていた段差が形成されない。そのため、矩形断面のセグメント３３をチューブ状の電気絶縁部材３４の内側に隙間なく並べることが可能となり、スロット３０内のセグメント３３の占積率を向上させることができる。
【００３０】
これにより、車両用交流発電機の高振動下でも確実に固定子鉄心３２と電気導体との間の電気絶縁を図れるとともに、スロット３０内での電気導体占積率向上およびセグメント３３の温度低下により固定子巻線の低抵抗化が図れ、車両用交流発電機の高出力化が可能となる。
（その他の実施形態）
第一実施形態では、ラップ部３４ａはスロット３０の径方向外側の内壁面に対向して位置させた。しかし、上述した効果を得るためには、シート状の電気絶縁部材３４のラップ部３４ａがスロット３０の開口部３５のみには位置しないように挿入されていればよい。すなわち、少なくともラップ部３４ａの一部がスロット３０の内壁面と対向して位置していればよい。
【００３１】
第二実施形態では、電気絶縁部材３４は絶縁性樹脂をチューブ状に成形したものを用いた。しかし、電気絶縁部材３４を段差のないチューブ状にする方法としては、シート状の不織布や絶縁フィルム等の端部を重ね合わせることなく、端面同士を段差ができないように接着剤等で貼り合わせる方法を採ってもよい。
また、第一及び第二実施形態では、電気絶縁部材３４はスロット３０の軸方向一端から挿入された。しかし、電気絶縁部材３４は開口部３５からスロット３０内に挿入してもよい。
【００３２】
第一及び第二実施形態では、電気絶縁部材３４をスロット３０に挿入した後に、セグメント３３をスロット３０内に挿入した。しかし、電気絶縁部材３４及びセグメント３３のスロット３０への組付け順序はこれに限られるものではない。すなわち、シート状の電気絶縁部材３４を用いる場合は、複数のセグメント３３の一つのスロット３０内に収容される数本の収容部３３ａの束を電気絶縁部材３４のシート状の電気絶縁部材３４で包んだ後、セグメント３３と電気絶縁部材３４とを一体としてスロット３０に挿入してもよい。また、チューブ状の電気絶縁部材３４を用いる場合は、複数のセグメント３３の収容部３３ａをチューブ状の電気絶縁部材３４の内側に挿入して収容部３３ａの束を電気絶縁部材３４で包囲した後、セグメント３３と電気絶縁部材３４とを一体としてスロット３０に挿入してもよい。この際にも、セグメント３３と電気絶縁部材３４とが一体となったものは、スロット３０の軸方向一端と開口部３５のいずれから挿入してもよい。
【００３３】
なお、第一及び第二実施形態では、固定子巻線を形成する電気導体として、図２に示すようなＵ字状のセグメント３３を用いたが、棒状のセグメントを用いても構わない。その場合は固定子鉄心３２の軸方向両端側で所定磁極ピッチ離れた電気導体同士を接合して固定子巻線を形成する。また、固定子巻線は従来と同様に連続線を用いて形成してもよい。その場合は、スロット３０への挿入前に、予め連続線を所定回数だけ巻回しておき、その巻回した固定子巻線のスロット３０内に収容される部分をシート状の電気絶縁部材３４で包む。その後、開口部３５から巻線を挿入する。そして、電気絶縁部材３４をスロット３４内で回転して、ラップ部３４ａがスロット３４内の径方向外側に位置するようにする。
【図面の簡単な説明】
【図１】本発明の固定子が組付けられた車両用交流発電機の断面図である。
【図２】本発明の第一実施形態の固定子の部分的な断面図である。
【図３】本発明の第一実施形態の固定子鉄心に装着されるセグメントの模式的形状を示す斜視図である。
【図４】本発明の第一実施形態のセグメントと電気絶縁部材の組付け方法を示す斜視図である。
【図５】本発明の第二実施形態の固定子の部分的な断面図である。
【符号の説明】
３０…スロット、３２…固定子鉄心、３２ａ…継鉄部、３２ｂ…歯部、
３３…セグメント、３３ａ…収容部、３４…電気絶縁部材、
３４ａ…ラップ部、３４ｂ…閉塞部、３４ｃ…絶縁部、３５…開口部。
【図１】
0003899685.tif 000002
【図２】
0003899685.tif 000003
【図３】
0003899685.tif 000004
【図４】
0003899685.tif 000005
【図５】
0003899685.tif 000006